(57)【特許請求の範囲】
【請求項１】
音響信号の入力元である複数の入力ポートを、複数の入力チャンネルに選択的にパッチする入力パッチと、該入力パッチによりパッチングされた前記複数の入力チャンネルからの音響信号をミキシングする混合バスと、該混合バスによりミキシングされた音響信号を出力する複数の出力チャンネルを、音響信号の出力先である複数の出力ポートにパッチする出力パッチとを備えるミキシングシステムであって、
チャンネルに順番に割り当てるポートが特定されているテーブルで定義されるポートグループの１つを指示する割当指示手段と、
前記入力パッチあるいは前記出力パッチにおいて、前記割当指示手段で指示された前記ポートグループで特定されているポートを、前記チャンネルにおける先頭チャンネルから順番で、パッチしていくパッチング手段とを備え、
前記ポートは、前記チャンネルの１チャンネル以上に割り当てることができるが、前記チャンネルには、前記ポートの１ポートだけしか割り当てることができないことを特徴とするミキシングシステム。
【請求項２】
前記先頭チャンネルは、前記チャンネルの内のユーザーにより選択されたチャンネルとされていることを特徴とする請求項１記載のミキシングシステム。
【請求項３】
前記チャンネルにおいて固定するフラグが立っているチャンネルについては、前記パッチング手段において、前記ポートグループの前記ポートをパッチする対象チャンネルから除かれることを特徴とする請求項１記載のミキシングシステム。
【請求項４】
前記ポートグループの前記ポートにおいて固定するフラグが立っているポートについては、前記パッチング手段がパッチする際に、前記ポートの前記チャンネルへのパッチを解除することを特徴とする請求項１記載のミキシングシステム。
【発明の詳細な説明】
【技術分野】
【０００１】
この発明は、複数のポートを含むポートグループを一括してチャンネルにパッチすることができるミキシングシステムに関する。
【背景技術】
【０００２】
従来、楽器の演奏音やボーカル音をマイクで収音し、ミキシングしてパワーアンプや各種録音機器に送り出したり、エフェクタや演奏しているプレーヤに送り出すミキシングシステムが知られている。従来のミキシングシステムは、マイクで収音された音響信号やディジタル録音機器からの音響信号が入力される入力ポートと、ディジタルの音響信号を出力する出力ポートとを備えるＩ／Ｏユニットと、ディジタルの音響信号のミキシング処理やエフェクト処理を行う音響信号処理ユニットと、各種パネル操作子を操作することにより、演奏を最もふさわしく表現していると思われる状態に調整するコンソールとを備えている。この場合、Ｉ／Ｏユニットの物理的な入力端子である多数の入力ポートは、音響信号処理ユニットの論理的な入力チャンネルにそれぞれパッチされる。入力チャンネルでは、入力された音響信号のレベルや周波数特性が調整される。各入力チャンネルは選択的にミキシングバスへ接続されており、各ミキシングバスでは、入力チャンネルからの音響信号がミキシングされて、ミキシング信号が当該バスに対応して設けられた出力チャンネルから出力される。各出力チャンネルは、出力パッチにおいてＩ／Ｏユニットの出力ポートのいずれかにパッチされる。この出力ポートは、Ｉ／Ｏユニットにおける物理的な出力端子であり、各出力ポート毎に、その出力ポートへ出力する信号の供給源として、何れかの出力チャンネルが接続可能とされている。
【０００３】
従来のミキシングシステムにおいて、チャンネル（以下、「ｃｈ」と記す）にポートをパッチングするパッチ設定画面１００の一例を図２１に示す（非特許文献１参照）。
図２１に示すパッチ設定画面１００は、入力ｃｈに入力ポートをパッチする入力パッチのパッチングを行うパッチ設定画面１００であり、上段に１〜８、下段に９〜１６の入力ｃｈのｃｈ番号１００ｂが表示されており、各ｃｈ番号１００ｂに対応してその下にパッチされるポート１００ａのポート名がそれぞれ表示されている。例えば、パッチ設定画面１００においてｃｈ８を選択するとｃｈ８の下のポート１００ａの枠が太枠で表示されて選択されたことが表示される。そして、入力ポートの一覧であるポートリスト１０１を表示させて入力ポートの「ＡＤ８」を選択することにより、ｃｈ８に入力ポート「ＡＤ８」がパッチされるようになる。他の入力ｃｈにおいても同様にして、所望の入力ポートを各入力ｃｈにパッチすることができる。入力パッチの設定情報は入力パッチライブラリーにストアすることができる。
【０００４】
また、従来のミキシングシステムにおいて、入力ｃｈに入力ポートをパッチングする他のパッチ設定画面２００の例を図２２に示す（非特許文献２参照）。
図２２に示すパッチ設定画面２００には、AD INの入力ポートを入力ｃｈにパッチするマトリクスパッチ欄２０１が表示されている。このマトリクスパッチ欄２０１では、列方向に１，２，３・・・と入力ポートのポート番号２０１ａが表示されており、行方向にCh.1,Ch.2,Ch.3・・・と入力ｃｈのｃｈ番号２０１ｂが表示されている。そして、行と列が交差するグリッドに表示されているパッチマーク２０１ｃにより入力ｃｈにパッチされている入力ポートが示されている。例えば、入力ｃｈのCh.1にはAD INのポート番号「１」の入力ポートがパッチされている。入力パッチを変更する場合は、マトリクスパッチ欄２０１にパッチ元となる入力ポートを表示させ、次いで、パッチ先となる入力ｃｈを表示させる。そして、パッチ元の入力ポートとパッチ先の入力ｃｈが交差するグリッドをクリックすることにより、パッチ元の入力ポートがパッチ先の入力ｃｈにパッチにされて、そのグリッドにパッチマーク２０１ｃが表示されるようになる。
【０００５】
さらに、従来のミキシングシステムにおいて、入力ｃｈに入力ポートをパッチングする他のパッチ設定画面３００の例を図２３に示す（非特許文献３参照）。
図２３に示すパッチ設定画面３００には、パッチボタン３００ａと選択ｃｈ欄３００ｂとが表示されており、パッチボタン３００ａをクリックすることにより、ポート切替タブ３００ｃと、切り替えられたタブにおけるポート３００ｄの一覧が表示される。選択ｃｈ欄３００ｂには選択された入力ｃｈのｃｈ名、図示する場合はｃｈ名「ch1(Vocal)」が選択されて表示されている。また、ポート切替タブ３００ｃの「AD1-16」のタブが選択されており、AD1〜AD16の１６の入力ポートの一覧がポート３００ｄとして表示されている。ここで、ポート３００ｄにおいては、図示するように表示色の変更された「AD1」が選択されており、ｃｈ名「ch1(Vocal)」の入力ｃｈに「AD1」の入力ポートがパッチされるようになる。ｃｈ名「ch1(Vocal)」の入力ｃｈに他の入力ポートをパッチしたい場合は、その入力ポートのポート切替タブ３００ｃをクリックして、パッチしたいポートを選択すれば良い。
上記した３つのパッチングでは、入力ｃｈに入力ポートをパッチングする場合について説明したが、出力ｃｈに出力ポートをパッチングする場合も同様に行うことができる。なお、ポートは複数のｃｈにパッチすることができるが、ｃｈは一つのポートにしかパッチすることができない。
【先行技術文献】
【非特許文献】
【０００６】
【非特許文献１】ヤマハ株式会社  DIGITAL PRODUCTION CONSOLE DM2000 Version2 取扱説明書，P.77-79，［online］, ［平成２３年６月１０日検索］，インターネット<http://www2.yamaha.co.jp/manual/pdf/pa/japan/mixers/DM2000V2J1.pdf>
【非特許文献２】ヤマハ株式会社  PM5D/PM5D-RH V2 DSP5D 取扱説明書，P.74-76，［online］, ［平成２３年６月１０日検索］，インターネット<http://www2.yamaha.co.jp/manual/pdf/pa/japan/mixers/pm5dv2_ja_om_g0.pdff>
【非特許文献３】ヤマハ株式会社  DIGITAL MIXING CONSOLE Version3 取扱説明書，P.105-109，［online］, ［平成２３年６月１０日検索］，インターネット<http://www2.yamaha.co.jp/manual/pdf/pa/japan/mixers/m7clv3_ja_om_h0.pdf>
【発明の概要】
【発明が解決しようとする課題】
【０００７】
従来のミキシングシステムにおけるパッチングでは、ｃｈ毎にポートをパッチしなければならないが、ミキシングシステムの入力ｃｈ数は３２ｃｈや９８ｃｈ、あるいは、さらに多数の入力ｃｈを備えており、パッチングするのに膨大な時間がかかるという問題点があった。また、従来のミキシングシステムにおいて８組の入力ｃｈを８組の録音トラックに同時に接続できることが知られているが、接続元と接続先とが固定されており、自由度がない。
そこで、本発明は、複数のポートからなるポートグループを一括してチャンネルにパッチすることができるミキシングシステムを提供することを目的としている。
【課題を解決するための手段】
【０００８】
上記目的を達成するために、本発明のミキシングシステムは、音響信号の入力元である複数の入力ポートを、複数の入力チャンネルに選択的にパッチする入力パッチと、該入力パッチによりパッチングされた前記複数の入力チャンネルからの音響信号をミキシングする混合バスと、該混合バスによりミキシングされた音響信号を出力する複数の出力チャンネルを、音響信号の出力先である複数の出力ポートにパッチする出力パッチとを備えるミキシングシステムであって、チャンネルに順番に割り当てるポートが特定されているテーブルで定義されるポートグループの１つを指示する割当指示手段と、前記入力パッチあるいは前記出力パッチにおいて、前記割当指示手段で指示された前記ポートグループで特定されているポートを、前記チャンネルにおける先頭チャンネルから順番で、パッチしていくパッチング手段とを備え、前記ポートは、前記チャンネルの１チャンネル以上に割り当てることができるが、前記チャンネルには、前記ポートの１ポートだけしか割り当てることができないことを最も主要な特徴としている。
【発明の効果】
【０００９】
本発明は、複数のポートからなるポートグループを一括してチャンネルにパッチすることができることから、従来のように１チャンネルずつパッチングをやり直さなくて良くなり、パッチングのやり直しが楽になる。特に、新たなＩ／Ｏユニットなどの機器を追加したときなど、そのポートグループを作成して設定しなおせばよいことから、短時間で簡易な作業を行うだけでパッチングをやり直すことができるようになる。
【図面の簡単な説明】
【００１０】
【図１】本発明の実施例にかかるミキシングシステムのハードウェア構成を示すブロック図である。
【図２】本発明にかかるミキシングシステムの処理アルゴリズムを等価的に示す機能ブロック図である。
【図３】本発明のミキシングシステムにおける入力チャンネルと出力チャンネルの構成を示す回路ブロック図である。
【図４】本発明にかかるミキシングシステムを構成するユニットの接続イメージを示す図である。
【図５】本発明のミキシングシステムにおけるＩ／Ｏユニットと外部機器の接続イメージを示す図である。
【図６】本発明のミキシングシステムにおいて表示されるポートグループＵＩ画面を示す図である。
【図７】本発明のミキシングシステムにおけるポートグループ情報のメモリイメージを示す図である。
【図８】本発明のミキシングシステムにおいて、ポートグループをパッチングする際に表示されるポートグループ選択／パッチ画面を示す図である。
【図９】本発明のミキシングシステムにおいて、ポートグループをパッチングするパッチ処理のフローチャートである。
【図１０】本発明のミキシングシステムにおいて、ポートをチャンネルにパッチングするパッチ設定画面を示す図である。
【図１１】本発明のミキシングシステムにおいて、パッチングするポートグループの構成を示す図である。
【図１２】本発明のミキシングシステムにおいて、ポートグループをチャンネルにパッチングするOverWrite処理後のパッチ設定画面である。
【図１３】本発明のミキシングシステムにおいて、ポートグループをチャンネルにパッチングするInsert処理後のパッチ設定画面を示す図である。
【図１４】本発明のミキシングシステムにおいて、Fixフラグを持つチャンネルにポートをパッチングするパッチ設定画面を示す図である。
【図１５】本発明のミキシングシステムにおいて、Fixフラグを持つチャンネルにポートグループをパッチングするOverWrite処理後のパッチ設定画面を示す図である。
【図１６】本発明のミキシングシステムにおいて、Fixフラグを持つチャンネルにポートグループをパッチングするInsert処理後のパッチ設定画面を示す図である。
【図１７】本発明のミキシングシステムにおいて、Fixフラグを持つポートをチャンネルにパッチングするパッチ設定画面を示す図である。
【図１８】本発明のミキシングシステムにおいて、パッチングするポートグループの構成を示す図である。
【図１９】本発明のミキシングシステムにおいて、Fixフラグを持つポートのポートグループをチャンネルにパッチングするOverWrite処理後のパッチ設定画面である。
【図２０】本発明のミキシングシステムにおいて、Fixフラグを持つポートのポートグループをチャンネルにパッチングするInsert処理後のパッチ設定画面である。
【図２１】従来のミキシングシステムで表示されるチャンネルにポートをパッチングするパッチ設定画面の一例を示す図である。
【図２２】従来のミキシングシステムで表示されるチャンネルにポートをパッチングする他のパッチ設定画面の例を示す図である。
【図２３】従来のミキシングシステムで表示されるチャンネルにポートをパッチングするさらに他のパッチ設定画面の例を示す図である。
【発明を実施するための形態】
【００１１】
本発明の実施例のミキシングシステム１のハードウェア構成を示すブロック図を図１に示す。
ミキシングシステム１は、ＣＰＵ（Central Processing Unit）１０が管理プログラム（ＯＳ：Operating System）を実行しており、ミキシングシステム１の全体の動作をＯＳ上で制御している。ミキシングシステム１は、ＣＰＵ１０が実行する制御プログラム等の動作ソフトウェアが格納されている不揮発性のＲＯＭ（Read Only Member）１１と、ＣＰＵ１０のワークエリアや各種データ等が記憶されるＲＡＭ（Random Access Memory）１２を備えている。ＣＰＵ１０は、制御プログラムを実行することにより、入力された複数の音響信号に音響信号処理をＤＳＰ（ディジタル信号処理装置：Digital Signal Processor）２０により施して混合処理を行っている。なお、ＲＯＭ１１をフラッシュメモリ等の書き換え可能なＲＯＭとすることで、動作ソフトウェアの書き換えを可能とすることができ、動作ソフトウェアのバージョンアップを容易に行うことができる。ＤＳＰ２０はＣＰＵ１０の制御の基で、入力された音響信号の音量レベルや周波数特性を設定されたパラメータに基づいて調整してミキシングし、音量、パン、効果などの音響特性をそのパラメータに基づいて制御する音響信号処理を行っている。エフェクタ（ＥＦＸ）１９はＣＰＵ１０の制御の基で、ミキシングされたオーディオ信号にリバーブ、エコーやコーラス等のエフェクトを付加している。
【００１２】
表示ＩＦ１３は、液晶表示器等の表示部１４にパッチ設定画面等の音響信号処理に関する種々の画面を表示させる表示インタフェースである。検出ＩＦ１５は、ミキシングシステム１のコンソールのパネルに設けられているフェーダ、ノブやスイッチ等の操作子１６をスキャンして、操作子１６に対する操作を検出しており、検出された操作信号に基づいて音響信号処理に用いるパラメータの編集や操作を行うことができる。通信ＩＦ１７は、通信Ｉ／Ｏ１８を介して外部機器と通信を行うための通信インタフェースであり、イーサネット（登録商標）などのネットワーク用のインタフェースとされる。ＣＰＵ１０、ＲＯＭ１１、ＲＡＭ１２、表示ＩＦ１３、検出ＩＦ１５、通信ＩＦ１７、ＥＦＸ１９、ＤＳＰ２０は通信バス２１を介して相互にデータ等の授受を行っている。
【００１３】
ＥＦＸ１９およびＤＳＰ２０は音声バス２５を介して入出力部を構成するＡＤ２２、ＤＡ２３、ＤＤ２４とデータ等の授受を行っている。ＡＤ２２は、アナログの音響信号が入力される入力端子である物理的な１つ以上の入力ポートを備え、ＡＤ２２の入力ポートに入力されたアナログの音響信号はディジタルの音響信号に変換されて音声バス２５に送出される。ＤＡ２３は、ミキシングされた混合信号を外部へ出力する出力端子である物理的な１つ以上の出力ポートを備え、ＤＡ２３において音声バス２５を介して受け取ったディジタルの音響信号はアナログの音響信号に変換されて出力ポートから出力され、この出力ポートに接続されている会場やステージに配置されたスピーカから出力される。ＤＤ２４は、ディジタルの音響信号が入力される入力端子である物理的な１つ以上の入力ポートと、外部にミキシングされたディジタルの音響信号を出力する出力端子である物理的な１つ以上の出力ポートとを備え、ＤＤ２４において入力ポートに入力されたディジタルの音響信号は音声バス２５に送出され、音声バス２５を介して受け取ったディジタルの音響信号は出力ポートから出力され、この出力ポートに接続されているディジタルレコーダ等に供給される。なお、ＡＤ２２およびＤＤ２４から音声バス２５へ送出されたディジタルの音響信号はＤＳＰ２０が受け取って上記したディジタル信号処理が施される。また、ＤＳＰ２０から音声バス２５に送出されたミキシングされたディジタルの音響信号はＤＡ２３あるいはＤＤ２４が受け取るようになる。
【００１４】
次に、本発明の実施例にかかるミキシングシステム１の処理アルゴリズムを等価的に示す機能ブロック図を図２に示す。以下の記載においてはチャンネルをｃｈと表す。
図２において、複数の入力ポート３０を介して供給されるディジタルの音響信号は入力パッチ（Input Patch）３１に入力される。この入力ポート３０は、ＡＤ２２およびＤＤ２４が備えている物理的な入力端子である。入力パッチ３１では、音響信号の入力元である複数の物理的な入力ポートのそれぞれを、Ｎｃｈ（Ｎは１以上の整数：例えば９６ｃｈ）とされる入力ｃｈ部３２が備える論理的な各入力ｃｈ（Input Channel）３２−１，３２−２，３２−３，・・・・，３２−Ｎに選択的にパッチ（結線）している。この場合、入力ポートは複数の入力ｃｈにパッチすることができるが、入力ｃｈには一つの入力ポートしかパッチすることができない。各入力ｃｈ３２−１〜３２−Ｎには、入力パッチ３１でパッチされた入力ポート３０からの音響信号In.1,In.2,In.3,・・・,In.Nがそれぞれ供給される。各入力ｃｈ３２−１〜３２−Ｎでは、各入力ｃｈに入力された音響信号In.1,In.2,In.3,・・・,In.Nの音響特性等が調整される。すなわち、入力ｃｈ部３２における各入力ｃｈ３２−１〜３２−Ｎに入力された各入力ｃｈ信号は、入力ｃｈ毎にイコライザやコンプレッサにより音響信号の特性が調整されると共に送り出しレベルが制御されてＭ本（Ｍは１以上の整数）の混合バス（Mix Bus）３３およびＬ，Ｒのステレオのキューバス（Cue Bus）３６へ送出される。この場合、入力ｃｈ部３２から出力されるＮ入力ｃｈ信号は、Ｍ本の混合バス３３の１ないし複数に選択的に出力される。
【００１５】
混合バス３３においては、Ｍ本の各バスにおいて、Ｎ入力ｃｈのうちの任意の入力ｃｈから選択的に入力された１ないし複数の入力ｃｈ信号が混合されて、合計Ｍ通りの混合出力が出力される。Ｍ本の混合バス３３の各バスからの混合出力は、Ｍｃｈとされる出力ｃｈ部３５の各出力ｃｈ（Output Channel）３５−１，３５−２，３５−３，・・・・，３５−Ｍにそれぞれ出力される。各出力ｃｈ３５−１〜３５−Ｍでは、イコライザやコンプレッサにより周波数バランス等の音響信号の特性が調整されて、出力ｃｈ信号Mix.1,Mix.2,Mix.3,・・・,Mix.Mとして出力され、このＭ出力ｃｈ信号Mix.1~Mix.Mは、出力パッチ（Output Patch）３７に出力される。また、Ｌ，Ｒのキューバス（Cue Bus）３４においてはＮ入力ｃｈから入力された１ないし複数の入力ｃｈ信号が混合されているキュー／モニタ用の信号がキュー／モニタ部（Cue/Monitor）３６に出力される。キュー／モニタ部３６においてイコライザやコンプレッサにより周波数バランス等の音響信号の特性が調整されたキュー／モニタ出力（Cue/monitor）は、出力パッチ３７に出力される。
【００１６】
出力パッチ３７では、出力ｃｈ部３５からのＭ出力ｃｈ信号Mix.1~Mix.Mおよびキュー／モニタ部３６からのキュー／モニタ出力の何れかを、複数の出力ポート３８のいずれかに選択的にパッチ（結線）することができ、各出力ポート３８には、出力パッチ３７でパッチされた出力ｃｈ信号が供給される。出力ポート３８において、ディジタルの出力ｃｈ信号はアナログ出力信号に変換され、パッチされた出力ポート３８に接続されているアンプにより増幅されて会場に配置された複数のスピーカから放音される。さらに、この出力ポート３８からのアナログ出力信号はステージ上のミュージシャン等が耳に装着するインイヤーモニタに供給されたり、その近傍に置かれたステージモニタスピーカで再生される。また、出力パッチ３７でパッチされた出力ポート３８から出力されるディジタルの音響信号は、その出力ポート３８に接続されているレコーダやＤＡＴ等に供給されてディジタル録音することができるようになる。また、キュー／モニタ出力はアナログの音響信号に変換され、出力パッチ３７でパッチされた出力ポート３８を介して、オペレータルームに配置されたモニタ用スピーカやオペレータが装着するヘッドホン等から出力されてオペレータが検聴できるようになる。このように、出力パッチ３７では論理的なチャンネルである出力ｃｈを、物理的な出力端子である出力ポートに選択的にパッチングしている。
【００１７】
図２に示す入力ｃｈ部３２における入力ｃｈ３２−１〜３２−Ｎは、全て同じ構成とされており、その内の入力ｃｈ３２−ｉを例に挙げて入力ｃｈの構成を図３（ａ）に示す。
図３（ａ）に示す入力ｃｈ３２−ｉには、入力パッチ３１において入力ポートのいずれかがパッチされるにようになる。入力ｃｈ３２−ｉは、アッテネータ（ＡＴＴ）４１、ヘッドアンプ（Ｈ／Ａ）４２、ハイパスフィルタ（ＨＰＦ）４３、イコライザ（ＥＱ）４４、ノイズゲート（ＧＡＴＥ）４５、コンプレッサ（Ｃｏｍｐ）４６、ディレイ（Ｄｅｌａｙ）４７、レベル調整（Ｌｅｖｅｌ）４８、パン（Ｐａｎ）４９を縦続接続して構成されている。アッテネータ（ＡＴＴ）４１は、入力されたディジタルの音響信号の減衰量を調整しており、ヘッドアンプ（Ｈ／Ａ）４２は、入力されたディジタルの音響信号を増幅しているアンプである。ハイパスフィルタ（ＨＰＦ）４３は、特定の周波数より低い入力されたディジタルの音響信号の帯域をカットするフィルタであり、イコライザ（ＥＱ）４４は、入力されたディジタルの音響信号の周波数特性を調整するイコライザとされており、例えば、ＨＩ，ＭＩＤ  ＨＩ，ＬＯＷ  ＭＩＤ，ＬＯＷの４バンドの各バンド毎の周波数特性を可変できるようにされている。
【００１８】
ノイズケート（Ｇａｔｅ）４５は、ノイズを遮断するノイズゲートであり、入力されたディジタルの音響信号のレベルが基準値以下となった際に、入力されたディジタルオーディオ信号のゲインを急激に低下させてノイズを遮断している。コンプレッサ（Ｃｏｍｐ）４６は、入力されたディジタルの音響信号のダイナミックレンジを狭くして、入力されたディジタルの音響信号が飽和することを防止している。ディレイ（Ｄｅｌａｙ）４７は、音源とパッチされた入力ポートに接続されているマイクとの距離補正を行うように、入力されたディジタルの音響信号の時間遅延を行っている。レベル調整（Ｌｅｖｅｌ）４８は、入力チャンネル３２−ｉから混合バス３３への送り出しレベルを制御する電動フェーダ等のレベル可変手段であり、パン（Ｐａｎ）４９は、入力チャンネル３２−ｉからステレオに設定された２系統の混合バス３３に送られる信号の左右の定位を調節している。
入力ｃｈ３２−ｉから出力されるディジタルの音響信号は、任意の複数本の混合バス３３に供給することができると共に、キューバス（Cue Bus）３４にも供給される。
【００１９】
また、図２に示す出力ｃｈ部３５における出力ｃｈ３５−１〜３５−Ｍは、全て同じ構成とされており、その内の出力ｃｈ３５−ｊを例に挙げて出力ｃｈの構成を図３（ｂ）に示す。
図３（ｂ）に示す出力ｃｈ３５−ｊには混合バス３３におけるｊ本目からの混合出力が入力されている。出力ｃｈ３５−ｊは、イコライザ（ＥＱ）５１、コンプレッサ（Ｃｏｍｐ）５２、レベル調整（Ｌｅｖｅｌ）５３、バランス（Ｂａｌ）５４、ディレイ（Ｄｅｌａｙ）５５、アッテネータ（Ａｔｔ）５６を縦続接続して構成されている。イコライザ（ＥＱ）５１は、出力されるディジタルの音響信号の周波数特性を調整するイコライザとされており、例えば、ＨＩ，ＭＩＤ  ＨＩ，ＭＩＤ，ＬＯＷ  ＭＩＤ，ＬＯＷ，ＳＵＢ  ＭＩＤの６バンドの各バンド毎に電気的特性を可変することができる。コンプレッサ（Ｃｏｍｐ）５２は、出力されるディジタルの音響信号のダイナミックレンジを狭くして、出力されるディジタルの音響信号が飽和することを防止している。レベル調整（Ｌｅｖｅｌ）５３は、出力チャンネル３５−ｊから出力パッチ３７への出力レベルを制御する電動フェーダ等のレベル可変手段であり、バランス（Ｂａｌ）５４は、出力チャンネル３５−ｊがステレオに設定されている場合に、左右の音量バランスを調節している。ディレイ（Ｄｅｌａｙ）５５は、スピーカの距離補正や定位の補正等を行うように、出力されるディジタルの音響信号の時間遅延を行っており、アッテネータ（ＡＴＴ）５６は、出力パッチ３７へ出力されるディジタルの音響信号の減衰量を調整している。
【００２０】
次に、本発明のミキシングシステム１を構成する各種ユニットの接続イメージを図４に示す。
図４に示すように本発明のミキシングシステム１は、入出力部を構成する３台のＩ／Ｏユニット（I/O Unit）＃１，＃２，＃３と、Ｉ／Ｏユニット＃３を備えるＤＳＰユニット（DSP Unit）４と、パネル上に設けられた各種操作子を操作することにより、演奏を最もふさわしく表現していると思われる状態に調整するコンソール（Console）３とをオーディオネットワーク（Audio Network）２に接続することにより構成されている。なお、３台のＩ／Ｏユニット＃１，＃２，＃３は図１に示すＡＤ２２，ＤＡ２３，ＤＤ２４の内の少なくとも１つを内蔵しており、その構成に応じてマイクが接続される入力端子である物理的な入力ポートや、アンプ等が接続される出力端子である物理的な出力ポートを備えている。ＤＳＰユニット４は図１に示すＥＦＸ１９およびＤＳＰ２０の機能を実行するユニットであり、コンソール３は図１に示すＣＰＵ１０ないし操作子１６の機能を実行するユニットである。なお、通信ＩＦ１７および通信Ｉ／Ｏ１８はＩ／Ｏユニット＃１，＃２，＃３、ＤＳＰユニット４およびコンソール３の全てのユニットが備えており、各ユニット間は通信バス２１と音声バス２５を含むオーディオネットワーク２により相互に接続されている。
【００２１】
図４に示す本発明のミキシングシステム１において、Ｉ／Ｏユニット＃１，＃２の入力ポートから入力された音響信号は、オーディオネットワーク２を介してＤＳＰユニット４に供給され、Ｉ／Ｏユニット＃３の入力ポートから入力された音響信号は直接にＤＳＰユニット４に供給される。ＤＳＰユニット４は、供給された複数のディジタルの音響信号のレベルや周波数特性を調整して所望の組み合わせで混合し、この混合出力のレベルや周波数特性を調整する。この場合、音響信号にエフェクトを付与することができる。ＤＳＰユニット４から出力される混合出力はオーディオネットワーク２を介してＩ／Ｏユニット＃１，＃２，＃３に送られ、Ｉ／Ｏユニット＃１，＃２，＃３の出力ポートから出力されアンプ等に供給される。
なお、コンソール３に設けられている操作子１６を操作することにより、図３（ａ）に示す入力ｃｈ３２−ｉにおけるＡｔｔ４１ないしＰａｎ４９の各モジュールの音響特性、および、図３（ｂ）に示す出力ｃｈ３５−ｊにおけるＥＱ５１ないしＡｔｔ５６の各モジュールの音響特性を変更して、ＤＳＰユニット４における音響信号のレベルや周波数特性を所望の特性に調節することができる。
【００２２】
本発明のミキシングシステム１におけるＩ／Ｏユニットと外部機器の接続イメージを図５に示す。図５におけるＩ／Ｏユニット＃ｋは、Ｉ／Ｏユニット＃１，＃２，＃３のいずれかとされている。
図５に示すＩ／Ｏユニット＃ｋは、複数の物理的なポート５ｃを備えている。この物理的なポート５ｃには複数の入力ポートや複数の出力ポートが存在しており、マイク５ａはポート５ｃの内の入力ポートに接続されており、アンプ６ａはポート５ｃの内の出力ポートに接続されている。アンプ６ａにはスピーカ７ａが出力されており、アンプ６ａで増幅された音響信号はスピーカ７ａから放音される。Ｉ／Ｏユニット＃ｋは、拡張用の拡張スロットを例えば４スロットを備えており、この拡張スロットにはポートを備える拡張カード８を装着できるようにされている。図５に示す場合は、Ｉ／Ｏユニット＃ｋの各スロットに拡張カード８がそれぞれ装着されており、装着されている内のＡＤ用の拡張カード８に備えられているポート８ａは入力ポートとされている。このＡＤ用の拡張カード８の入力ポートには、マイク５ｂが接続されている。また、装着されている内のＤＡ用の拡張カード８に備えられているポート８ａは出力ポートとされている。このＤＡ用の拡張カード８の出力ポートには、アンプ６ｂが接続されている。アンプ６ｂにはスピーカ７ｂが出力されており、アンプ６ｂで増幅された音響信号はスピーカ７ｂから放音される。Ｉ／Ｏユニット＃ｋは、オーディオネットワーク２に接続されており、入力ポートに入力された音響信号をオーディオネットワーク２を介してＤＳＰユニット４に送る。そして、ＤＳＰユニット４から出力される混合出力をオーディオネットワーク２を介してＩ／Ｏユニット＃ｋは受け取り、所定の出力ポートから出力している。
【００２３】
本発明のミキシングシステム１において特徴的な構成は、複数のポートからなるポートグループを作成することができ、ポートグループに属している物理的なポートを一括してミキシングシステム１が備える論理的なチャンネルにパッチングすることができる構成とされている。ポートグループは、入力ポートのみからなるポートグループと、出力ポートのみからなるポートグループの２種類とされ、入力ポートと出力ポートが混在するポートグループは作成することができない。
ポートグループの作成・編集を行う際に、表示部１４に表示させるポートグループＵＩ画面６０を図６に示す。図６に示すポートグループＵＩ画面６０は、上部のName領域と、その下のDetail領域とから構成されている。Name領域には、ポートグループ名欄６０ａが設けられており、この欄の右端の「▼」をクリックするとポートグループの一覧が表示され、そのうちの所望のポートグループを選択すると選択されたポートグループの名前がポートグループ名欄６０ａに表示される。図示する場合は、「My Port Group 1」の名前のポートグループが選択されて表示されており、このポートグループを編集することができる。また、編集後に新たなポートグループの名前を付して登録することにより、新たなポートグループを作成することができる。
【００２４】
ポートグループＵＩ画面６０のDetail領域には、ミキシングシステム１が備えるポートの詳細を示すポート表示欄６０ｂと、ポートグループ名欄６０ａで示されるポートグループに登録されるポートを示すポート登録欄６０ｃとが表示されている。ポート登録欄６０ｃは、チャンネルに順番に割り当てるポートが特定されているテーブルである。また、このポートは、Ｉ／Ｏユニットあるいは拡張カードが備える物理的な入力ポートあるいは出力ポートである。ポート表示欄６０ｂは、ポートを有しているＩ／Ｏユニットの番号を表示するUnit欄と、Ｉ／Ｏユニットに装着されている拡張カードの識別番号（ＩＤ）を表示するCard 欄と、Ｉ／Ｏユニットあるいは拡張カードが備えるポートの識別番号（ＩＤ）を表示するPort欄とから構成されている。また、ポート表示欄６０ｂの右側部にスクロールバーとボタンが設けられており、ポート表示欄６０ｂを上下にスクロールすることにより、ミキシングシステム１を構成しているＩ／Ｏユニットおよび拡張カードが備える全てのポートを確認することができる。図示する場合は、Unit欄にはＩ／Ｏユニット＃１（I/O #1）が表示されており、Card 欄にはＩ／Ｏユニット＃１の拡張スロットに装着されている「Card 1」「Card 2」「Card 3」の３枚の拡張カードが表示されている。Port欄には、「Card 1」が備える「Port 1」「Port 2」「Port 3」「Port 4」・・・のポートと、「Card 2」が備える「Port 1」「Port 2」「Port 3」「Port 4」・・・のポートと、「Card 3」が備える「Port 1」「Port 2」「Port 3」「Port 4」・・・のポートと、Ｉ／Ｏユニット＃１が備える「Port 1」「Port 2」「Port 3」「Port 4」・・・のポートが表示されている。
なお、ポートには入力ポートと出力ポートとが存在しており、ユーザーが一目で入力ポートと出力ポートとを見分けられるように、ポートの種類に応じて表示色や表示文字に修飾を施すようにしても良い。また、「Port 1」が入力ポートの場合に「Input Port 1」と表示し、「Port 1」が出力ポートトの場合に「Output Port 1」と表示するようにしても良い。他のポートも同様に表示することができる。
【００２５】
チャンネルに順番に割り当てるポートが特定されているテーブルであるポート登録欄６０ｃには、ポートグループ名欄６０ａに示すポートグループに登録するポートが表示され、図示する場合はポートグループ「My Port Group 1」に、「I/O #1 : Card 1 : Port 1」「I/O #1 : Card 1 : Port 2」「I/O #1 : Card 1 : Port 4」「I/O #1 : Card 2 : Port 2」「I/O #1 : Card 2 : Port 3」の５つのポートが登録されている。また、ポート登録欄６０ｃの右側部にスクロールバーとボタンが設けられて、上下にスクロールすることで登録されたポートの全てを確認することができる。さらに、ポート登録欄６０ｃの右側に設けられている「Up」ボタン６０ｆを押すとポート登録欄６０ｃは上にスクロールされ、「Up」ボタン６０ｆの下の「Down」ボタン６０ｇを押すとポート登録欄６０ｃは下にスクロールされる。これによっても登録されたポートを上下にスクロールして確認することができる。
ポート表示欄６０ｂとポート登録欄６０ｃとの間には、Addボタン６０ｄとRemoveボタン６０ｅとが設けられている。ここで、ポート表示欄６０ｂのPort欄において所望のポートを選択してAddボタン６０ｄをクリックすると、選択されたポートがポート登録欄６０ｃに表示されて登録される。図示する例では、ポート表示欄６０ｂでI/O #1のCard 1におけるPort 4が選択されて表示色が変更され、この時にAddボタン６０ｄをクリックした状態が示されており、ポート登録端６０ｃに表示色が変更されている「I/O #1 : Card 1 : Port 4」が追加されたことが示されている。
【００２６】
また、ポート登録欄６０ｃに登録されているいずれかのポートを選択してRemoveボタン６０ｅをクリックすると、選択されたポートの表示がポート登録欄６０ｃから削除されて登録が解除される。このようにして編集が終了した際に、ポートグループＵＩ画面６０の下部の左側に設けられているOKボタン６０ｈをクリックすると、編集後のポートグループ情報でポートグループ「My Port Group 1」のポートグループ情報が上書きされるようになる。また、OKボタン６０ｈの右側に設けられているCancelボタン６０ｉをクリックすると、編集データは破棄されてポートグループＵＩ画面６０が閉じるようになる。
なお、入力ポート（出力ポート）からなるポートグループに出力ポート（入力ポート）を登録するようAddボタン６０ｄをクリックした場合は、ポート種類が異なるので登録できない旨のメッセージが表示されて誤登録されないようにしている。
【００２７】
作成されたポートグループのポートグループ情報はＲＡＭ１２上のカレントメモリ領域に保存され、ミキシングシステム１の電源がオフされる際にはミキシングシステム１に備えられている図示しないハードディスク等の大容量記憶装置に保存される。そして、ミキシングシステム１が起動された際に大容量記憶装置からポートグループ情報が読み出されてカレントメモリ領域に格納されるようになる。
このポートグループ情報のメモリイメージであるデータ構造を図７に示す。図７に示すように、ポートグループ情報はポートグループの「名前」情報と「ポート数」情報と「ポート」情報とから構成されている。そして、「ポート」情報はポートグループに登録されている全てのポートの情報が順に記録されている。ポートグループにｎ個のポートが登録されている場合は、＃１〜＃ｎの識別番号が順に各ポートに付されて、＃１〜＃ｎの順番でチャンネルに割り当てるようになる。例えば、図示するようにポート識別番号＃１の情報は、Ｉ／Ｏユニットの識別情報と、拡張カードの場合は拡張カードの識別情報と、ポート番号とされ、ポート識別番号＃２〜＃ｎも同様の情報を含んでいる。
なお、「ポート」情報にはそのポート識別番号のポートが入力ポートであるか出力ポートであるかの情報も登録されている。
【００２８】
ここで、本発明にかかるミキシングシステム１の入力パッチ３１において、入力ｃｈに入力ポートをパッチングする際に、表示部１４に表示される「Input Patch」のポートグループ選択／パッチ画面６１を図８に示す。なお、入力ポートは複数の入力ｃｈにパッチすることができるが、入力ｃｈは一つの入力ポートにしかパッチすることができない。
図８に示すポートグループ選択／パッチ画面６１には、上部に矩形状のパッチボタン（Patch）６１ａと横に細長い矩形状の選択ｃｈ欄６１ｂとが横に並んで表示されている。パッチボタン６１ａをクリックすることにより、画面６１の中央から下部にかけてポート切替タブ６１ｃと、切り替えられたタブにおけるタブ情報が表示される。入力ｃｈにポートグループとされている入力ポートを一括してパッチングする際には、図示するように「Port Group」のタブに切り替える。これにより、ポートグループ名欄（Port Group Name）６１ｄでポートグループを選択することができ、そのポートグループに登録されているポートのポート情報が登録ポート欄６１ｅに表示されるようになる。ポートグループ名欄（Port Group Name）６１ｄにおいて、右端の「▼」をクリックするとポートグループの一覧が表示され、そのうちの所望のポートグループを選択することができる。この場合、「Input Patch」の画面では入力ポートからなるポートグループの一覧が表示され、「Output Patch」の画面では出力ポートからなるポートグループの一覧が表示されるのが望ましい。また、タブ情報が表示される領域の下部には、OverWriteボタン６１ｆと、Insertボタン６１ｇと、Cancelボタン６１ｈとが設けられている。図示する場合は、ポートグループ名「My Port Group 1」のポートグループが選択されており、このポートグループには登録ポート欄６１ｅに示すように、I/O #1におけるCard 1のPort 1とPort 2とPort 4とPort 6とPort 7のポート番号位置の表示色が変更されており、これらの５つのポートが登録されていることが示されている。
【００２９】
選択ｃｈ欄６１ｂでは、ポートグループに登録されている入力ポートを入力ｃｈにパッチングしていく際の先頭ｃｈが選択され、選択された先頭ｃｈのｃｈ名が表示される。図示する場合は、先頭ｃｈとしてｃｈ名「Ch1(Vocal 1)」の入力ｃｈが選択されている。
なお、「AD 1-16」のタブに切り替えられると、図２３に示すようにAD1〜AD16の１６の入力ポートのポート名がタブ情報が表示される領域に表示され、表示された１６の入力ポートの内の選択された入力ポートが選択ｃｈ欄６１ｂの入力ｃｈにパッチされるようになる。すなわち、入力ポート毎に入力ｃｈにパッチングすることになる。
【００３０】
図８に示すように、先頭ｃｈとしてｃｈ名「Ch1(Vocal 1)」の入力ｃｈが選択されると共に、ポートグループ名「My Port Group 1」のポートグループが選択されて、OverWriteボタン６１ｆがクリックされるとOverWrite処理が実行される。このOverWrite処理では、パッチングの先頭ｃｈであるCh1(Vocal 1)の入力ｃｈにパッチされていたポートに替えてI/O #1におけるCard 1のPort 1がパッチングされ、２番目のCh2の入力ｃｈにパッチされていたポートに替えてI/O #1におけるCard 1のPort 2がパッチングされ、３番目のCh3の入力ｃｈにパッチされていたポートに替えてI/O #1におけるCard 1のPort 4がパッチングされ、４番目のCh4の入力ｃｈにパッチされていたポートに替えてI/O #1におけるCard 1のPort 6がパッチングされ、５番目のCh5の入力ｃｈにパッチされていたポートに替えてI/O #1におけるCard 1のPort 7がパッチングされるようになる。このように、ポートグループのポート数と同数の先頭ｃｈからの入力ｃｈにポートグループの各ポートがOverWriteされるようパッチされる。パッチングが終了すると、入力パッチ３１における各入力ポートとパッチされた入力ｃｈとの関係を示す入力パッチ情報がＲＡＭ１２のカレントメモリ領域に保存される。
【００３１】
また、OverWriteボタン６１ｆではなくInsertボタン６１ｇがクリックされると、Insert処理が実行される。このInsert処理では、まず、ポートグループのポート数と同数の５ｃｈ分だけｃｈ番号が増加する方向にずらされた入力ｃｈに再パッチされて、パッチングの先頭ｃｈであるｃｈ１〜ｃｈ５が空けられる。すなわち、パッチングの先頭ｃｈであるｃｈ１ないしｃｈ５がｃｈ７〜ｃｈ１０に再パッチされる。そして、空いたｃｈ１〜ｃｈ５において先頭ｃｈであるｃｈ１の入力ｃｈにI/O #1におけるCard 1のPort 1がパッチングされ、２番目のｃｈ２の入力ｃｈにI/O #1におけるCard 1のPort 2がパッチングされ、３番目のｃｈ３の入力ｃｈにI/O #1におけるCard 1のPort 4がパッチングされ、４番目のｃｈ４の入力ｃｈにI/O #1におけるCard 1のPort 6がパッチングされ、５番目のｃｈ５の入力ｃｈにI/O #1におけるCard 1のPort 7がパッチングされるようになる。このように、ポートグループのポート数と同数の先頭ｃｈからの入力ｃｈが空けられて、空けられた入力ｃｈにポートグループの各ポートがInsertされるようパッチされる。パッチングが終了すると、入力パッチ３１における各入力ポートとパッチされた入力ｃｈとの関係を示す入力パッチ情報がＲＡＭ１２のカレントメモリ領域に保存される。
【００３２】
上記したパッチングを行うパッチ処理のフローチャートを図９に示す。
ポートグループ選択／パッチ画面６１においてパッチボタン（Patch）６１ａがクリックされると、図９に示すパッチ処理がスタートして、選択ｃｈ欄６１ｂにおいて選択されている論理チャンネルが先頭ｃｈとしてステップＳ１０にて選択される。次いで、ステップＳ１１にてポートグループ名欄６１ｄで選択されているポートグループが、ステップＳ１０で選択された先頭ｃｈから一括してパッチングされるポートグループとして選択される。ステップＳ１２では、選択されたポートグループのポートグループ情報が読み出され、その内のポート数の情報で示されている数だけの全ポートをパッチできる入力ｃｈがあるか否かが判断される。ここで、選択されたポートグループに属する全てのポートをパッチできる入力ｃｈがあると判断された場合は、ステップＳ１３に進みOverWriteボタン６１ｆがクリックされた時に上記したOverWrite処理が実行され、Insertボタン６１ｇがクリックされた時に上記したInsert処理が実行されるようになる。また、ステップＳ１２にてポートグループに属する全てのポートをパッチできる入力ｃｈがなくポートが溢れると判断された場合は、ステップＳ１４に分岐してポートが溢れることの警告表示が表示部１４に表示されステップＳ１５に進む。そして、ステップＳ１５では溢れるポートの処理は無視してよいかユーザーに問い合わせる旨の表示が表示部１４に表示され、ユーザーがYesと答えた場合はステップＳ１３に戻り上記した処理が実行される。また、ユーザーがNoと答えた場合はパッチ処理は終了する。また、ステップＳ１３の処理が終了した時にはパッチ処理が終了する。
【００３３】
次に、本発明のミキシングシステム１の表示部１４に表示される入力ｃｈに入力ポートをパッチングする「Input Patch」のパッチ設定画面６２を図１０に示す。
図１０に示すパッチ設定画面６２では、入力ポートを入力ｃｈにパッチするマトリクスパッチ欄６３が表示されている。このマトリクスパッチ欄６３では、列方向にCard 1，Card 2・・・における入力ポートのポート番号６３ａが１，２，３・・・，８と表示されており、行方向にCh.1,Ch.2,Ch.3・・・と入力ｃｈのｃｈ番号６３ｂが表示されている。そして、行と列が交差するグリッドに表示されているパッチマーク６３ｃにより入力ｃｈにパッチされている入力ポートが示されている。なお、１，２，３・・・，８のポート番号６３ａは、Port 1,Port 2,Port 3・・・,Port 8に対応している。図示する例では、入力ｃｈのCh.1にCard 1のポート番号「１」の入力ポートPort 1がパッチされており、以降の入力ｃｈにおいてはCh.2にCard 1のポート番号「２」の入力ポートPort 2、Ch.3にCard 1のポート番号「３」の入力ポートPort 3、・・・が順番にパッチされている。また、入力ｃｈのCh.9にCard 2のポート番号「１」の入力ポートPort 1がパッチされており、以降の入力ｃｈのCh.10ないしCh.16にCard 2のポート番号「２」〜「８」の入力ポートPort 2〜Port 8が順番にパッチされている。このパッチ設定画面６２においてもパッチングの編集を行うことができる。例えば、入力パッチを変更する場合は、マトリクスパッチ欄６３のポート番号６３ａの欄にパッチ元となる入力ポートのポート番号を表示させ、次いで、ｃｈ番号６３ｂの欄にパッチ先となる入力ｃｈのｃｈ番号を表示させる。そして、パッチ元の入力ポートとパッチ先の入力ｃｈが交差するグリッドをクリックすることにより、パッチ元の入力ポートがパッチ先の入力ｃｈにパッチにされて、そのグリッドにパッチマーク６３ｃが表示されるようになる。
【００３４】
ここで、ポートグループを一括して入力ｃｈにパッチングする際に上記したOverWrite処理が行われた後のパッチ設定画面６２−１を図１２に示す。この場合、ポートグループには図１１(ａ)に示すポート登録欄６０ｃに示す入力ポートが登録されている。すなわち、ポートグループには、「I/O #1 : Card 1 : Port 3」「I/O #1 :Card 1 : Port 4」「I/O #1 :Card 1 : Port 1」「I/O #1 : Card 1 : Port 5」・・・・のポートが登録されている。また、このポートグループは、図８のポートグループ選択画面６１の登録ポート欄６１ｅにおいては図１１（ｂ）に示すように表示される。すなわち、登録ポート欄６１ｅのＩ／Ｏユニット番号７０の欄に示すI/O #1におけるカード番号７１の欄に示すCard 1におけるPort 1とPort 3とPort 4とPort 5のポートの位置の表示色が登録表示欄７２で変更され登録されていることが示されている。
【００３５】
図１１（ａ）あるいは図１１（ｂ）に示されるポート数が４のポートグループをOverWrite処理を実行することにより一括して入力ｃｈにパッチングした後のパッチング状態とされたパッチ設定画面６２−１を図１２に示す。
図１２に示すように、パッチング後のパッチング状態を示すパッチ設定画面６２−１では、ポート数が４のポートグループであることから、OverWrite処理によりパッチングを実行するとCh.1,Ch.2,Ch.3,Ch.4の４つの入力ｃｈにパッチされている入力ポートがそれぞれ変更される。すなわち、Ch.1の入力ｃｈにパッチされていたポート番号「１」のポートに替えてI/O #1におけるCard 1のポート番号「３」のPort 3がパッチングされ、２番目のCh.2の入力ｃｈにパッチされていたポートに替えてI/O #1におけるCard 1のポート番号「４」のPort 4がパッチングされ、３番目のCh.3の入力ｃｈにパッチされていたポートに替えてI/O #1におけるCard 1のポート番号「１」のPort 1がパッチングされ、４番目のCh.4の入力ｃｈにパッチされていたポートに替えてI/O #1におけるCard 1のポート番号「５」のPort 5がパッチングされる。以上の処理において、パッチングする対象ｃｈとされる入力ｃｈが最後の入力ｃｈを超えるときは、それ以上の処理は行わない。なお、パッチするポートが変更されたことを示すために、該当するパッチマーク６３ｃの表示色が図示するように変更される。
【００３６】
このようにパッチング状態が変更されて、Card 1のポート番号「１」の入力ポートPort 1は入力ｃｈのCh.3にパッチされ、ポート番号「２」の入力ポートPort 2は入力ｃｈのいずれにもパッチされず、ポート番号「３」の入力ポートPort 3は入力ｃｈのCh.1にパッチされ、ポート番号「４」の入力ポートPort 4は入力ｃｈのCh.2にパッチされ、ポート番号「５」の入力ポートPort 5は入力ｃｈのCh.4およびCh.5にパッチされる。以降の入力ポートにおいてはパッチング状態は変更されておらず、ポート番号「６」の入力ポートPort 6は入力ｃｈのCh.6に、ポート番号「７」の入力ポートPort 7は入力ｃｈのCh.7にパッチされ、以降の入力ポートについても同様とされている。
なお、入力ポートは複数の入力ｃｈにパッチすることができるが、入力ｃｈは一つの入力ポートにしかパッチすることができない。
【００３７】
また、図１１（ａ）あるいは図１１（ｂ）に示されるポート数が４のポートグループをInsert処理を実行することにより一括して入力ｃｈにパッチングした後のパッチング状態とされたパッチ設定画面６２−２を図１３に示す。
図１２に示すように、パッチング後のパッチング状態を示すパッチ設定画面６２−１では、ポート数が４のポートグループであることから、Insert処理によりパッチングを実行すると先頭の入力ｃｈ以降の全ての入力ｃｈにパッチされている入力ポートがそれぞれ４ｃｈ分だけｃｈ番号が大きい入力ｃｈに再パッチされる。そして、先頭の入力ｃｈ以降に空いたCh.1,Ch.2,Ch.3,Ch.4の４つの入力ｃｈにポート数が４のポートグループのポートが順にパッチされる。すなわち、パッチングの先頭ｃｈであるCh.1の入力ｃｈにI/O #1におけるCard 1のポート番号「３」のPort 3がパッチングされ、２番目のCh.2の入力ｃｈにI/O #1におけるCard 1のポート番号「４」のPort 4がパッチングされ、３番目のCh.3の入力ｃｈにI/O #1におけるCard 1のポート番号「１」のPort 1がパッチングされ、４番目のCh.4の入力ｃｈにI/O #1におけるCard 1のポート番号「５」のPort 5がパッチングされ、５番目のｃｈ５の入力ｃｈにI/O #1におけるCard 2のポート番号「３」のPort 3がパッチングされるようになる。このように、ポートグループのポート数と同数の先頭ｃｈからの入力ｃｈが空けられて、空けられた入力ｃｈにポートグループの各ポートがInsertされるようパッチされる。以上の処理において、パッチングする対象ｃｈとされる入力ｃｈが最後の入力ｃｈを超えるときは、それ以上の処理は行わない。なお、パッチするポートが変更されたことを示すために、該当するパッチマーク６３ｃの表示色が図示するように変更されるが、ずらされて再パッチされたことを示すCh.5以降のパッチマーク６３ｃの表示色は変更されない。
【００３８】
このようにパッチング状態が変更されて、Card 1のポート番号「１」の入力ポートPort 1は入力ｃｈのCh.3およびCh.5にパッチされ、ポート番号「２」の入力ポートPort 2は入力ｃｈのCh.6にパッチされ、ポート番号「３」の入力ポートPort 3は入力ｃｈのCh.1およびCh.7にパッチされ、ポート番号「４」の入力ポートPort 4は入力ｃｈのCh.2およびCh.8にパッチされ、ポート番号「５」の入力ポートPort 5は入力ｃｈのCh.4およびCh.9にパッチされる。以降の入力ポートにおいては４ｃｈ分だけｃｈ番号が大きい入力ｃｈに再パッチされ、ポート番号「６」の入力ポートPort 6は入力ｃｈのCh.10に、ポート番号「７」の入力ポートPort 7は入力ｃｈのCh.11にパッチされ、以降の入力ポートについても同様とされている。
なお、入力ポートは複数の入力ｃｈにパッチすることができるが、入力ｃｈは一つの入力ポートにしかパッチすることができない。
【００３９】
ところで、ポートグループを一括して入力／出力ｃｈにパッチングしたい時に、入力／出力ポートによってはパッチされている入力／出力ｃｈが変更されることなく固定したい場合がある。これを実現するために、入力／出力ｃｈにFixフラグを有させて、Fixフラグが立っている入力／出力ｃｈについては、ポートグループを一括して入力／出力ｃｈにパッチングする時にパッチングを変更することなく固定する。ここでは、Fixフラグを有する入力ｃｈとされた「Input Patch」のパッチ設定画面６４を図１４に示す。
図１４に示すパッチ設定画面６４では、入力ポートを入力ｃｈにパッチするマトリクスパッチ欄６５が表示されており、列方向にCard 1，Card 2・・・における入力ポートのポート番号６５ａが１，２，３・・・，８と表示されている。また、行方向にCh.1,Ch.2,Ch.3・・・と入力ｃｈのｃｈ番号６５ｂが表示されていると共に、各入力ｃｈにFixフラグを設定するFix設定欄６５ｄが設けられている。このFixフラグが立っている入力ｃｈについては、そのFix設定欄６５ｄに「○」が表示される。そして、行と列が交差するグリッドに表示されているパッチマーク６５ｃにより入力ｃｈにパッチされている入力ポートが示されている。なお、１，２，３・・・，８のポート番号６５ａは、Port 1,Port 2,Port 3・・・,Port 8に対応している。
図１４に示すパッチ設定画面６４においては、入力ｃｈのCh.1,Ch.3,Ch.6にFixフラグが立っており、ポートグループを一括して入力ｃｈにパッチングする際にFixフラグが立っている入力ｃｈはパッチングが固定されるようスキップされて次のｃｈ番号の入力ｃｈにパッチングされるようになる。
【００４０】
ここで、パッチ設定画面６４において、図１１（ａ）あるいは図１１（ｂ）に示されるポート数が４のポートグループをOverWrite処理を実行することにより一括して入力ｃｈにパッチングした後のパッチング状態とされたパッチ設定画面６４−１を図１５に示す。
図１５に示すように、パッチング後のパッチング状態を示すパッチ設定画面６４−１では、ポート数が４のポートグループであることから、OverWrite処理によりパッチングを実行するとCh.1,Ch.2,Ch.3,Ch.4の４つの入力ｃｈにパッチされている入力ポートがそれぞれ変更されるのであるが、Ch.1,Ch.3,Ch.6にFixフラグが立っていることから、これらの入力ｃｈにパッチされている入力ポートは固定される。すなわち、Fixフラグが立っているCh.1はスキップされてI/O #1におけるCard 1のポート番号「３」のPort 3が、次の入力ｃｈであるCh.2の入力ｃｈにパッチされていたポート番号「２」の入力ポートに替えてパッチングされる。また、Fixフラグが立っている次のCh.3もスキップされてI/O #1におけるCard 1のポート番号「４」のPort 4が、その次のCh.4の入力ｃｈにパッチされていた入力ポートに替えてパッチングされる。さらに、Ch.4にはFixフラグが立っていないことからI/O #1におけるCard 1のポート番号「１」のPort 1がCh.4の入力ｃｈにパッチされていた入力ポートに替えてパッチングされるが、この場合はパッチングされる入力ポートは変更前と同じとなっている。さらにまた、次の入力ｃｈであるCh.6にもFixフラグが立っていることからCh.6もスキップされてI/O #1におけるCard 1のポート番号「５」のPort 5が、その次のCh.7の入力ｃｈにパッチされていたポートに替えてパッチングされる。以上の処理において、パッチングする対象ｃｈとされる入力ｃｈが最後の入力ｃｈを超えるときは、それ以上の処理は行わない。なお、パッチするポートが変更されたことを示すために、該当するパッチマーク６５ｃの表示色が図示するように変更される。
【００４１】
このようにパッチング状態が変更されて、Card 1のポート番号「１」の入力ポートPort 1は入力ｃｈのCh.1およびCh.5にパッチされ、ポート番号「２」の入力ポートPort 2は入力ｃｈのいずれにもパッチされず、ポート番号「３」の入力ポートPort 3は入力ｃｈのCh.2およびCh.3にパッチされ、ポート番号「４」の入力ポートPort 4は入力ｃｈのCh.4にパッチされ、ポート番号「５」の入力ポートPort 5は入力ｃｈのCh.7にパッチされ、ポート番号「６」の入力ポートPort 6は入力ｃｈのCh.6にパッチされ、ポート番号「７」の入力ポートPort 7は入力ｃｈのいずれにもパッチされない。以降の入力ポートにおいてはパッチング状態は変更されておらず、ポート番号「８」の入力ポートPort 8は入力ｃｈのCh.8に、Card 2のポート番号「１」の入力ポートPort 1は入力ｃｈのCh.9にパッチされ、以降の入力ポートについても同様とされている。
なお、入力ポートは複数の入力ｃｈにパッチすることができるが、入力ｃｈは一つの入力ポートにしかパッチすることができない。
【００４２】
次に、パッチ設定画面６４において、図１１（ａ）あるいは図１１（ｂ）に示されるポート数が４のポートグループをInsert処理を実行することにより一括して入力ｃｈにパッチングした後のパッチング状態とされたパッチ設定画面６４−２を図１６に示す。
図１６に示すように、パッチング後のパッチング状態を示すパッチ設定画面６４−２では、ポート数が４のポートグループであることから、Insert処理によりパッチングを実行すると先頭の入力ｃｈ以降の全ての入力ｃｈにパッチされている入力ポートがそれぞれ４ｃｈ分だけｃｈ番号が大きい入力ｃｈに再パッチされる。この場合、Ch.1,Ch.3,Ch.6にFixフラグが立っていることから、Ch.1,Ch.3,Ch.6の入力ｃｈは固定され、これらの入力ｃｈを除いて再パッチされるが、固定される入力ｃｈの数が勘案されたｃｈ分だけずれて再パッチされることになる。そして、先頭の入力ｃｈ以降に空いた４つの入力ｃｈにポート数が４のポートグループのポートが順にパッチされる。この場合、先頭の入力ｃｈ以降に空いた４つの入力ｃｈは、Ch.2,Ch.4,Ch.5,Ch.7となる。また、入力ポートを再パッチする場合は、パッチされていた入力ｃｈのｃｈ番号より大きいｃｈ番号であってFixフラグが立っている入力ｃｈの数ｋを４ｃｈ分に加算したｃｈ番号の入力ｃｈに再パッチする。例えば、ポート番号「２」の入力ポートPort 2についてみると、パッチされていたCh.2より大きいｃｈ番号のCh.3,Ch.6にFixフラグが立っていることから、４＋２＝６ｃｈ分だけ大きいｃｈ番号のCh.8に再パッチされる。同様にして、ポート番号「４」の入力ポートPort 4はCh.9に再パッチされ、ポート番号「５」の入力ポートPort 5はCh.10に再パッチされ、ポート番号「７」の入力ポートPort 7はCh.11に再パッチされ、以降の入力ポートについては４ｃｈ分だけｃｈ番号が大きい入力ｃｈに再パッチされる。
【００４３】
すなわち、Fixフラグが立っている先頭ｃｈであるCh.1はスキップされてI/O #1におけるCard 1のポート番号「３」のPort 3が、最初に空いているCh.2の入力ｃｈにパッチングされる。また、Fixフラグが立っている次のCh.3もスキップされてI/O #1におけるCard 1のポート番号「４」のPort 4が、その次に空いているCh.4の入力ｃｈにパッチングされる。さらに、次のCh.5も空いていることからI/O #1におけるCard 1のポート番号「１」のPort 1がCh.5の入力ｃｈにパッチングされる。さらにまた、次の入力ｃｈであるCh.6にもFixフラグが立っていることからCh.6もスキップされてI/O #1におけるCard 1のポート番号「５」のPort 5が、その次に空いているCh.7の入力ｃｈにパッチングされる。以上の処理において、パッチングする対象ｃｈとされる入力ｃｈが最後の入力ｃｈを超えるときは、それ以上の処理は行わない。なお、パッチするポートが変更されたことを示すために、該当するパッチマーク６５ｃの表示色が図示するように変更される。
このようにパッチング状態が変更されて、Card 1のポート番号「１」の入力ポートPort 1は入力ｃｈのCh.1およびCh.5にパッチされ、ポート番号「２」の入力ポートPort 2は入力ｃｈのCh.8にパッチされ、ポート番号「３」の入力ポートPort 3は入力ｃｈのCh.2およびCh.3にパッチされ、ポート番号「４」の入力ポートPort 4は入力ｃｈのCh.4およびCh.9にパッチされ、ポート番号「５」の入力ポートPort 5は入力ｃｈのCh.7およびCh.10にパッチされ、ポート番号「６」の入力ポートPort 6は入力ｃｈのCh.6にパッチされ、ポート番号「７」の入力ポートPort 7は入力ｃｈのCh.11にパッチされる。以降の入力ポートにおいては４ｃｈ分だけｃｈ番号が大きい入力ｃｈに再パッチされる。
なお、入力ポートは複数の入力ｃｈにパッチすることができるが、入力ｃｈは一つの入力ポートにしかパッチすることができない。
【００４４】
また、ポートグループを一括して入力／出力ｃｈにパッチングしたい時に、入力／出力ポートによっては他の用途や故障等の理由で使用できないポートが生じることがある。これを実現するために、入力／出力ポートにFixフラグを有させて、Fixフラグが立っている入力／出力ポートについては、ポートグループを一括して入力／出力ｃｈにパッチングする時に当該入力／出力ポートを対象ポートとして使用しないようにパッチングを修正する。ここでは、Fixフラグを有する入力ポートとされた「Input Patch」のパッチ設定画面６６を図１７に示す。
図１７に示すパッチ設定画面６６では、入力ポートを入力ｃｈにパッチするマトリクスパッチ欄６７が表示されており、列方向にCard 1，Card 2・・・における入力ポートのポート番号６７ａが１，２，３・・・，８と表示されていると共に、各入力ポートにFixフラグを設定するFix設定欄６７ｄが設けられている。また、行方向にCh.1,Ch.2,Ch.3・・・と入力ｃｈのｃｈ番号６７ｂが表示されている。このFixフラグが立っている入力ポートについては、そのFix設定欄６７ｄに「○」が表示される。そして、行と列が交差するグリッドに表示されているパッチマーク６７ｃにより入力ｃｈにパッチされている入力ポートが示されている。なお、１，２，３・・・，８のポート番号６７ａは、Port 1,Port 2,Port 3・・・,Port 8に対応している。
図１７に示すパッチ設定画面６６においては、Card 1におけるポート番号「３」「６」とCard 2におけるポート番号「５」「６」にFixフラグが立っており、ポートグループを一括して入力ｃｈにパッチングする際にFixフラグが立っているCard 1の入力ポートPort 3,Port 6とCard 2におけるPort 5,Port 6を対象ポートとして使用しないようにパッチングが修正されてパッチングされるようになる。
【００４５】
ここで、ポートグループを一括して入力ｃｈにパッチングする際に、ポートグループには図１８(ａ)に示すポート登録欄６０ｃ（図６のポートグループＵＩ画面６０参照）に示す入力ポートが登録されている。すなわち、この図に示すようにポートグループには、「I/O #1 : Card 1 : Port 3」「I/O #1 :Card 1 : Port 4」「I/O #1 :Card 1 : Port 1」「I/O #1 : Card 1 : Port 5」・・・・の入力ポートが登録されている。そして、「I/O #1 : Card 1 : Port 3」の入力ポートは、他の用途や故障等の理由で使用できない入力ポートとしてグレー表示されている。また、このポートグループは、図８のポートグループ選択画面６１の登録ポート欄６１ｅにおいては図１８（ｂ）に示すように表示される。すなわち、登録ポート欄６１ｅのＩ／Ｏユニット番号７０の欄のI/O #1におけるカード番号７１の欄のCard 1におけるPort 1とPort 4とPort 5のポート番号位置が登録表示欄７２で選択表示されており、Card 1におけるPort 3については使用できない入力ポートとしてそのポート番号位置がグレー表示されている。
【００４６】
ここで、パッチ設定画面６６において、図１８（ａ）あるいは図１８（ｂ）に示されるポート数が４のポートグループをOverWrite処理を実行することにより一括して入力ｃｈにパッチングした後のパッチング状態とされたパッチ設定画面６６−１を図１９に示す。
図１９に示すように、パッチング後のパッチング状態を示すパッチ設定画面６６−１では、ポート数が４のポートグループであることから、OverWrite処理によりパッチングを実行するとCh.1,Ch.2,Ch.3,Ch.4の４つの入力ｃｈにポートグループの各ポートがパッチされるように変更されるのであるが、ポートグループに登録されているCard 1のポート番号「３」の入力ポートにFixフラグが立っていることから、この入力ポートがパッチされていた入力ｃｈへのパッチが解除される。すなわち、ポートグループの最初の入力ポートであるI/O #1におけるCard 1のポート番号「３」のPort 3の入力ポートにはFixフラグが立っていることから、パッチされていたCH.3へのパッチが解除される。そして、次の入力ポートI/O #1におけるCard 1のポート番号「４」のPort 4が、Ch.1の入力ｃｈにパッチされていた入力ポートに替えてパッチングされる。また、次のI/O #1におけるCard 1のポート番号「１」のPort 1がCh.2の入力ｃｈにパッチされていた入力ポートに替えてパッチングされる。さらに、次のI/O #1におけるCard 1のポート番号「５」のPort 5が、Ch.3の入力ｃｈにパッチされていたポートに替えてパッチングされる。なお、パッチするポートが変更されたことを示すために、該当するパッチマーク６７ｃの表示色が図示するように変更される。
【００４７】
次に、ポートグループには登録されていないがCard 1のポート番号「６」の入力ポートPort 6にFixフラグが立っていることから、この入力ポートがパッチされていたCh.6の入力ｃｈへのパッチが解除され、Ch.6にCard 1のポート番号「７」の入力ポートPort 7が再パッチされる。これに伴い、Ch.7にCard 1のポート番号「８」の入力ポートPort 8が再パッチされ、さらに、Ch.8〜Ch.11にCard 2のポート番号「１」〜「４」の入力ポートPort 1〜Port 4がそれぞれ再パッチされる。なお、Card 2のポート番号「５」「６」の入力ポートPort 1,Port 6にFixフラグが立っていることから、この入力ポートがパッチされていた入力ｃｈへのパッチは解除される。以上の処理において、パッチングする対象ｃｈとされる入力ｃｈが最後の入力ｃｈを超えるときは、それ以上の処理は行わない。
このようにパッチング状態が変更されて、Card 1のポート番号「１」の入力ポートPort 1は入力ｃｈのCh.2にパッチされ、ポート番号「２」「３」の入力ポートPort 2,Port 3は入力ｃｈのいずれにもパッチされず、ポート番号「４」の入力ポートPort 4は入力ｃｈのCh.1およびCh.4にパッチされ、ポート番号「５」の入力ポートPort 5は入力ｃｈのCh.3およびCh.5にパッチされる。また、ポート番号「６」の入力ポートPort 6は入力ｃｈのいずれにもパッチされず、ポート番号「７」の入力ポートPort 7は入力ｃｈのCh.6にパッチされ、ポート番号「８」の入力ポートPort 8は入力ｃｈのCh.7にパッチされる。さらに、Card 2のポート番号「１」〜「４」の入力ポートPort 1〜Port 4はCh.8〜Ch.11にそれぞれ再パッチされる。
なお、入力ポートは複数の入力ｃｈにパッチすることができるが、入力ｃｈは一つの入力ポートにしかパッチすることができない。
【００４８】
次に、パッチ設定画面６６において、図１８（ａ）あるいは図１８（ｂ）に示されるポート数が４のポートグループをInsert処理を実行することにより一括して入力ｃｈにパッチングした後のパッチング状態とされたパッチ設定画面６６−２を図２０に示す。
図２０に示すように、パッチング後のパッチング状態を示すパッチ設定画面６６−２では、ポート数が４のポートグループであることから、Insert処理によりパッチングを実行すると先頭の入力ｃｈ以降の全ての入力ｃｈにパッチされている入力ポートがそれぞれ４ｃｈ分だけｃｈ番号が大きい入力ｃｈに再パッチされるが、ポートグループに登録されているCard 1のポート番号「３」の入力ポートPort 3のFixフラグは立っていて使用されないことから、３ｃｈ分だけｃｈ番号が大きい入力ｃｈに再パッチされる。また、Card 1のポート番号「６」の入力ポートPort 6と、Card 2のポート番号「５」「６」の入力ポートPort 5,Port 6にもFixフラグが立っていることから、これらの入力ポートも使用しないように修正される。これにより、先頭の入力ｃｈから３つの入力ｃｈが空けられるようになる。すなわち、Card 1のポート番号「１」の入力ポートPort 1はCh.1からCh.4の入力ｃｈへ再パッチされ、Card 1のポート番号「２」の入力ポートPort 2はCh.2からCh.5の入力ｃｈへ再パッチされ、Card 1のポート番号「３」の入力ポートPort 3への入力ｃｈのパッチは解除される。また、Card 1のポート番号「４」の入力ポートPort 4はCh.3からCh.6の入力ｃｈへ再パッチされ、Card 1のポート番号「５」の入力ポートPort 5はCh.5からCh.8の入力ｃｈへ再パッチされ、Card 1のポート番号「６」の入力ポートPort 6への入力ｃｈのパッチは解除される。この結果、Ch.1〜Ch.3の入力ｃｈが空くようになる。
【００４９】
すなわち、ポートグループの最初の入力ポートであるI/O #1におけるCard 1のポート番号「３」のPort 3の入力ポートにはFixフラグが立っていることから、パッチされていたCh.3へのパッチが解除される。そして、次のI/O #1におけるCard 1のポート番号「４」のPort 4が、空いている先頭のCh.1の入力ｃｈにパッチングされ、次のI/O #1におけるCard 1のポート番号「１」のPort 1が次に空いているCh.2の入力ｃｈにパッチングされる。さらに、次のI/O #1におけるCard 1のポート番号「５」のPort 5が、次に空いているCh.3の入力ｃｈにパッチングされる。以上の処理において、パッチングする対象ｃｈとされる入力ｃｈが最後の入力ｃｈを超えるときは、それ以上の処理は行わない。なお、パッチするポートが変更されたことを示すために、該当するパッチマーク６７ｃの表示色が図示するように変更される。
このようにパッチング状態が変更されて、Card 1のポート番号「１」の入力ポートPort 1は入力ｃｈのCh.2およびCh.4にパッチされ、ポート番号「２」の入力ポートPort 2は入力ｃｈのCh.5にパッチされ、ポート番号「３」の入力ポートPort 3は入力ｃｈのいずれにもパッチされず、ポート番号「４」の入力ポートPort 4は入力ｃｈのCh.1およびCh.6にパッチされ、ポート番号「５」の入力ポートPort 5は入力ｃｈのCh.3およびCh.7にパッチされる。また、ポート番号「６」の入力ポートPort 6は入力ｃｈのいずれにもパッチされず、ポート番号「７」の入力ポートPort 7は入力ｃｈのCh.8にパッチされ、ポート番号「８」の入力ポートPort 8は入力ｃｈのCh.9にパッチされる。さらに、Card 1のポート番号「１」〜「４」の入力ポートPort 1〜Port 4は入力ｃｈのCh.10〜Ch.13にパッチされる。
なお、入力ポートは複数の入力ｃｈにパッチすることができるが、入力ｃｈは一つの入力ポートにしかパッチすることができない。
【産業上の利用可能性】
【００５０】
以上説明した本発明の実施例にかかるミキシングシステムにおいては、入力パッチについて具体的に説明したが、出力パッチについても同様にして出力ポートからなるポートグループを一括して出力ｃｈにパッチングすることができる。
また、本発明のミキシングシステムにおいては、１つの物理的なポートを複数のポートグループに登録させることができる。また、ポートグループに登録されているポートのポート番号は連続して登録されていなくてもよい。
さらに、本発明のミキシングシステムにおいてはデフォルトのポートグループが定義されているが、そのポートグループはＩ／Ｏユニット単位、Ｉ／Ｏユニットに装着されている拡張カード単位とされている。
【符号の説明】
【００５１】
１  ミキシングシステム、２  オーディオネットワーク、３  コンソール、４  ユニット、５ａ  マイク、５ｂ  マイク、５ｃ  ポート、６ａ  アンプ、６ｂ  アンプ、７ａ  スピーカ、７ｂ  スピーカ、８  拡張カード、８ａ  ポート、１０  ＣＰＵ、１１  ＲＯＭ、１２  ＲＡＭ、１３  表示ＩＦ、１４  表示部、１５  検出ＩＦ、１６  操作子、１７  通信ＩＦ、１８  通信Ｉ／Ｏ、１９  ＥＦＸ、２０  ＤＳＰ、２１  通信バス、２２  ＡＤ、２３  ＤＡ、２４  ＤＤ、２５  音声バス、３０  入力ポート、３１  入力パッチ、３２  入力ｃｈ部、３２−１〜３２−Ｎ  入力ｃｈ、３３  混合バス、３４  キューバス、３５  出力ｃｈ部、３５−１〜３５−ｍ  出力ｃｈ、３６  モニタ部、３７  出力パッチ、３８  出力ポート、６０  ポートグループＵＩ画面、６０ａ  ポートグループ名欄、６０ｂ  ポート表示欄、６０ｃ  ポート登録欄、６０ｄ  Addボタン、６０ｅ  Removeボタン、６０ｆ  Upボタン、６０ｇ  Downボタン、６０ｈ  OKボタン、６０ｉ  Cancelボタン、６１  ポートグループ選択／パッチ画面、６１  ポートグループ選択画面、６１ａ  パッチボタン、６１ｂ  選択ｃｈ欄、６１ｃ  ポート切替タブ、６１ｄ  ポートグループ名欄、６１ｅ  登録ポート欄、６１ｆ  OverWriteボタン、６１ｇ  Insertボタン、６１ｈ  Cancelボタン、６２，６２−１，６２−２  パッチ設定画面、６３，６３−１，６３−２  マトリクスパッチ欄、６３ａ  ポート番号、６３ｂ  ｃｈ番号、６３ｃ  パッチマーク、６４，６４−１，６４−２  パッチ設定画面、６５，６５−１，６５−２  マトリクスパッチ欄、６５ａ  ポート番号、６５ｂ  番号、６５ｃ  パッチマーク、６５ｄ  Fix設定欄、６６，６６−１，６６−２  パッチ設定画面、６７，６７−１，６７−２  マトリクスパッチ欄、６７ａ  ポート番号、６７ｂ  番号、６７ｃ  パッチマーク、６７ｄ  Fix設定欄、７０  Ｉ／Ｏユニット番号、７１  カード番号、７２  登録表示欄、１００  パッチ設定画面、１００ａ  ポート、１００ｂ  ｃｈ番号、１０１  ポートリスト、２００  パッチ設定画面、２０１  マトリクスパッチ欄、２０１ａ  ポート番号、２０１ｂ  ｃｈ番号、２０１ｃ  パッチマーク、３００  パッチ設定画面、３００ａ  パッチボタン、３００ｂ  選択ｃｈ欄、３００ｃ  ポート切替タブ、３００ｄ  ポート
【図１】
0005682508.tif 000002
【図２】
0005682508.tif 000003
【図３】
0005682508.tif 000004
【図４】
0005682508.tif 000005
【図５】
0005682508.tif 000006
【図６】
0005682508.tif 000007
【図７】
0005682508.tif 000008
【図８】
0005682508.tif 000009
【図９】
0005682508.tif 000010
【図１０】
0005682508.tif 000011
【図１１】
0005682508.tif 000012
【図１２】
0005682508.tif 000013
【図１３】
0005682508.tif 000014
【図１４】
0005682508.tif 000015
【図１５】
0005682508.tif 000016
【図１６】
0005682508.tif 000017
【図１７】
0005682508.tif 000018
【図１８】
0005682508.tif 000019
【図１９】
0005682508.tif 000020
【図２０】
0005682508.tif 000021
【図２１】
0005682508.tif 000022
【図２２】
0005682508.tif 000023
【図２３】
0005682508.tif 000024